(57)【要約】【課題】バーナボディ２上に設けられる下ヘッド部材３１と上ヘッド部材３２とから成るバーナヘッド３の外周面に開口する上下２段の炎口を備え、下段炎口４Ｌのみにガスを供給する状態と、上段炎口４Ｕにもガスを供給する状態とに切換え自在とし、上段炎口４Ｕへのガス供給の開始で下段炎口４Ｌから上段炎口４Ｕに火移りさせるようにしたコンロ用バーナにおいて、バーナの大型化を招くことなく、上段炎口４Ｕへの火移り時の逆火を抑制できるようにする。【解決手段】上段炎口４Ｕを、下ヘッド部材３１に立設した環状壁３３に形成した溝で構成される下炎口部分４Ｕｂと、上ヘッド部材３２に垂設した環状壁３４に形成した溝で構成される上炎口部分４Ｕａとの上下２部分に分割する。そして、上炎口部分４Ｕａと下炎口部分４Ｕｂとを周方向に位置をずらして千鳥状に配置する。【選択図】図１
2019143959.tif 000002
【特許請求の範囲】
【請求項１】
バーナボディ上に設けられるバーナヘッドの外周面に開口する上下２段の炎口を備え、下段炎口のみにガスを供給する状態と、上段炎口にもガスを供給する状態とに切換え自在とし、上段炎口へのガス供給の開始で下段炎口から上段炎口に火移りさせるようにしたコンロ用バーナであって、
バーナボディは、外側の筒体と中間の筒体と内側の筒体との内外３重の筒体を有し、バーナヘッドは、内周部にバーナボディの中間筒体に嵌合する筒部を垂設した環状の下ヘッド部材と、内周部にバーナボディの内側筒体に嵌合する筒部を垂設した環状の上ヘッド部材とで構成され、バーナボディの外側筒体と下ヘッド部材との間に下段炎口が画成され、下ヘッド部材と上ヘッド部材との間に上段炎口が画成されるものにおいて、
下ヘッド部材の上面外周部に第１の環状壁が立設されると共に、上ヘッド部材の下面外周部に、第１の環状壁に着座する第２の環状壁が垂設され、
上段炎口は、上炎口部分と下炎口部分との上下２部分に分割されて、第１の環状壁に、第１の環状壁の上端から下方に凹入する下炎口部分となる溝が周方向の間隔を存して複数形成され、第２の環状壁に、第２の環状壁の下端から上方に凹入する上炎口部分となる溝が周方向の間隔を存して、且つ、下炎口部分となる溝に対し周方向に位置をずらして複数形成されることを特徴とするコンロ用バーナ。
【発明の詳細な説明】
【技術分野】
【０００１】
本発明は、バーナボディ上に設けられるバーナヘッドの外周面に開口する上下２段の炎口を備えるコンロ用バーナに関する。
【背景技術】
【０００２】
従来、この種のコンロ用バーナとして、下段炎口のみにガスを供給する状態と、上段炎口にもガスを供給する状態とに切換え自在とし、上段炎口へのガス供給の開始で下段炎口から上段炎口に火移りさせるようにしたものが知られている。このものでは、下段炎口のみで燃焼させる弱火から下段と上段の両炎口で燃焼させる強火まで火力を広範囲に調節することができる利点がある。
【０００３】
尚、一般的に、バーナボディは、外側の筒体と中間の筒体と内側の筒体との内外３重の筒体を有し、バーナヘッドは、内周部にバーナボディの中間筒体に嵌合する筒部を垂設した環状の下ヘッド部材と、内周部にバーナボディの内側筒体に嵌合する筒部を垂設した環状の上ヘッド部材とで構成される。そして、バーナボディの外側筒体と下ヘッド部材との間に下段炎口が画成され、下ヘッド部材と上ヘッド部材との間に上段炎口が画成される。具体的には、下ヘッド部材の上面外周部に、上ヘッド部材が着座する環状壁を立設し、この環状壁に、その上端から下方に凹入する上段炎口となる溝を周方向の間隔を存して複数形成している。
【０００４】
ここで、環状壁に形成する上段炎口となる溝は、溝の成形金型を上方に抜くための抜き勾配がついた台形、即ち、下底が幅狭で上底が幅広の台形に形成される。溝の成形金型の下底側の幅は、強度確保に必要なある程度の寸法にする必要がある。そのため、溝形状である台形の下底の幅を消炎距離に比し左程小さな寸法に設定することはできず、上底の幅、即ち、上段炎口の上端の幅は消炎距離より広くなってしまう。そして、このようなコンロ用バーナでは、上段炎口と下段炎口との間の上下方向距離が短いと、下段炎口から上段炎口への火移り時に、上段炎口での逆火を生じやすくなる。その理由は以下の通りである。即ち、上段炎口へのガス供給開始後、上段炎口からのガス噴出速度が燃焼速度を上回るまでにある程度の時間がかかる。一方、上段炎口と下段炎口との間の上下方向距離が短いと、上段炎口へのガス供給開始から上段炎口に火移りするまでの時間が短くなる。そして、上段炎口からのガス噴出速度が燃焼速度以上に上昇する前に火移りして、消炎距離より幅広の上段炎口の上端部での逆火を生じてしまう。
【０００５】
そこで、従来、特許文献１により、上段炎口と下段炎口との間の上下方向距離を長くしたコンロ用バーナが知られている。このものでは、上段炎口へのガス供給開始から上段炎口に火移りするまでに時間がかかる。そのため、上段炎口に火移りするまでに、上段炎口からのガス噴出速度が燃焼速度を上回る。その結果、火移り時に消炎距離より幅広の上段炎口の上端部で逆火を生ずることを防止できる。然し、上段炎口と下段炎口との間の上下方向距離を長くしたのでは、バーナが大型化してしまう。
【先行技術文献】
【特許文献】
【０００６】
【特許文献１】特開２０１２−１２７５６３号公報
【発明の概要】
【発明が解決しようとする課題】
【０００７】
本発明は、以上の点に鑑み、バーナの大型化を招くことなく、上段炎口への火移り時の逆火を抑制できるようにしたコンロ用バーナを提供することをその課題としている。
【課題を解決するための手段】
【０００８】
上記課題を解決するために、本発明は、バーナボディ上に設けられるバーナヘッドの外周面に開口する上下２段の炎口を備え、下段炎口のみにガスを供給する状態と、上段炎口にもガスを供給する状態とに切換え自在とし、上段炎口へのガス供給の開始で下段炎口から上段炎口に火移りさせるようにしたコンロ用バーナであって、バーナボディは、外側の筒体と中間の筒体と内側の筒体との内外３重の筒体を有し、バーナヘッドは、内周部にバーナボディの中間筒体に嵌合する筒部を垂設した環状の下ヘッド部材と、内周部にバーナボディの内側筒体に嵌合する筒部を垂設した環状の上ヘッド部材とで構成され、バーナボディの外側筒体と下ヘッド部材との間に下段炎口が画成され、下ヘッド部材と上ヘッド部材との間に上段炎口が画成されるものにおいて、下ヘッド部材の上面外周部に第１の環状壁が立設されると共に、上ヘッド部材の下面外周部に、第１の環状壁に着座する第２の環状壁が垂設され、上段炎口は、上炎口部分と下炎口部分との上下２部分に分割されて、第１の環状壁に、第１の環状壁の上端から下方に凹入する下炎口部分となる溝が周方向の間隔を存して複数形成され、第２の環状壁に、第２の環状壁の下端から上方に凹入する上炎口部分となる溝が周方向の間隔を存して、且つ、下炎口部分となる溝に対し周方向に位置をずらして複数形成されることを特徴とする。
【０００９】
本発明によれば、上段炎口を上炎口部分と下炎口部分との上下２部分に分割するため、第１と第２の各環状壁に形成する溝の凹入深さは、上段炎口を上下２分割しない場合に比し半減する。従って、溝の成形金型の抜き勾配をつける関係で最も幅広になる溝の部分、即ち、第１の環状壁に形成する下炎口部分となる溝の上端部と、第２の環状溝に形成する上炎口部分となる溝の下端部の幅を消炎距離以下にすることができる。そのため、バーナの大型化を招かないよう、上段炎口の下炎口部分と下段炎口との間の上下方向距離を短くすることで、下段炎口から上段炎口への火移りに要する時間が短縮されて、上段炎口の下炎口部分や上炎口部分からのガス噴出速度が燃焼速度以上になる前に火移りしても、上段炎口の下炎口部分及び上炎口部分での火移り時の逆火を防止できる。更に、上段炎口の上炎口部分と下炎口部分とが千鳥状に配置されることになるため、上炎口部分と下炎口部分から個々に噴出するガスに対しその周囲から十分に二次空気が供給される。その結果、上段炎口に形成される炎が短炎化され、鍋底の外方に炎が溢れ出す炎溢れを抑制することもできる。
【図面の簡単な説明】
【００１０】
【図１】本発明の実施形態のコンロ用バーナの斜視図。
【図２】実施形態のコンロ用バーナの断面図。
【図３】実施形態のコンロ用バーナの要部の拡大側面図。
【図４】下段炎口と上段炎口とに供給されるガス量の変化を示すグラフ。
【発明を実施するための形態】
【００１１】
図１、図２を参照して、１は、本発明の実施形態のコンロ用バーナである。このバーナ１は、バーナボディ２と、バーナボディ２上のバーナヘッド３とを備えている。バーナヘッド３の外周面には、上下２段の炎口４Ｕ，４Ｌが周方向の間隔を存して複数開口している。尚、コンロ天板上に配置する五徳の複数の五徳爪と同一方位に位置するバーナヘッド３の周方向複数箇所の部分には、五徳爪に火炎が触れて不完全燃焼することを防止するため、上段炎口４Ｕを形成せずに下段炎口４Ｌのみを形成している。
【００１２】
より詳細に説明すれば、バーナボディ２は、外側の筒体２１と中間の筒体２２と内側の筒体２３との内外３重の筒体を有している。外側筒体２１には、その上端部外周から垂下するスカート部２１ａが設けられている。バーナヘッド３は、内周部にバーナボディ２の中間筒体２２に嵌合する筒部３１ａを垂設した環状の下ヘッド部材３１と、内周部にバーナボディ２の内側筒体２３に嵌合する筒部３２ａを垂設した環状の上ヘッド部材３２とで構成されている。そして、バーナボディ２の外側筒体２１と下ヘッド部材３１との間に下段炎口４Ｌが画成され、下ヘッド部材３１と上ヘッド部材３２との間に上段炎口４Ｕが画成される。
【００１３】
上段炎口４Ｕは、上炎口部分４Ｕａと下炎口部分４Ｕｂとの上下２部分に分割されている。具体的に説明すれば、下ヘッド部材３１の上面外周部には、第１の環状壁３３が立設され、上ヘッド部材３２の下面外周部には、第１の環状壁３３に着座する第２の環状壁３４が垂設されている。そして、第１の環状壁３３に、第１の環状壁３３の上端から下方に凹入する上段炎口４Ｕの下炎口部分４Ｕｂとなる溝が周方向の間隔を存して複数形成されている。更に、第２の環状壁３４に、第２の環状壁３４の下端から上方に凹入する上段炎口４Ｕの上炎口部分４Ｕａとなる溝が周方向の間隔を存して、且つ、下炎口部分４Ｕｂとなる溝に対し周方向に位置をずらして複数形成されている。これにより、上炎口部分４Ｕａと下炎口部分４Ｕｂは周方向に位置をずらして千鳥状に配置されることになる。
【００１４】
図３を参照して、第１の環状壁３３に形成する下炎口部分４Ｕｂとなる溝の形状は、溝の成形型を上方に抜くための抜き勾配をつける関係で下底よりも上底の幅が広い台形となる。第２の環状壁３４に形成する上炎口部分４Ｕａとなる溝の形状は、溝の成形型を下方に抜くための抜き勾配をつける関係で上底よりも下底の幅が広い台形となる。ここで、上段炎口４Ｕを上炎口部分４Ｕａと下炎口部分４Ｕｂとの上下２部分に分割すれば、第１と第２の各環状壁３３，３４に形成する溝の凹入深さは上段炎口４Ｕを上下２分割しない場合に比し半減する。そのため、溝の成形金型の抜き勾配をつける関係で最も幅広になる溝の部分、即ち、第１の環状壁３３に形成する下炎口部分４Ｕｂとなる溝の上端部と、第２の環状溝３４に形成する上炎口部分４Ｕａとなる溝の下端部の幅も消炎距離（例えば、１．２ｍｍ）以下にすることができる。
【００１５】
下ヘッド部材３１の下面外周部には、バーナボディ２の外側筒体２１の上端部に着座する第３の環状壁３５が垂設されている。第３の環状壁３５には、第３の環状壁３５の下端から上方に凹入する下段炎口４Ｌとなる溝が周方向の間隔を存して複数形成されている。また、下ヘッド部材３１の周方向１箇所には、図示省略した点火電極に対向するターゲット部３６が突設されており、点火電極とターゲット部３６との間での火花放電により下段炎口４Ｌに点火される。
【００１６】
また、バーナ１は、バーナボディ２の中間筒体２２と内側筒体２３との間の空間に連通する上段炎口４Ｕ用の第１混合管５Ｕと、バーナボディ２の外側筒体２１と中間筒体２２との間の空間に連通する下段炎口４Ｌ用の第２混合管５Ｌとを備える。第１混合管５Ｕには、共通のガス供給路６から分岐した第１分岐路６Ｕを介して燃料ガスが供給される。第２混合管５Ｌには、ガス供給路６から分岐した第２分岐路６Ｌを介して燃料ガスが供給される。そして、第１と第２の各混合管５Ｕ，５Ｌ内で燃料ガスと各混合管５Ｕ，５Ｌに吸い込まれる一次空気とが混合され、第１混合管５Ｕからの混合ガスがバーナボディ２の中間筒体２２と内側筒体２３との間の空間及び下ヘッド部材３１と上ヘッド部材３２との間の空間を介して上段炎口４Ｕから噴出する。また、第２混合管５Ｌからの混合ガスがバーナボディ２の外側筒体２１と中間筒体２２との間の空間及び外側筒体２１と下ヘッド部材３１との間の空間を介して下段炎口４Ｌから噴出する。
【００１７】
ガス供給路６には、点火時に開かれ、消火時に閉じる元弁７が介設されている。また、第１と第２の各分岐路６Ｕ、６Ｌには、図示省略した火力調節用のレバーや摘みから成る操作部材に連動して開度が変化する第１と第２の各流量調節弁８Ｕ，８Ｌが介設されている。操作部材は、弱火位置から強火位置まで操作できるようになっている。操作部材を弱火位置から強火位置まで操作すると、第２流量調節弁８Ｌの開度が最小開度から次第に増加する。そして、下段炎口４Ｌへの供給ガス量は、図４にａ線で示す如く、下段炎口４Ｌでの逆火防止に必要な所定の最小量ＱＬｍｉｎから最大量ＱＬｍａｘまで漸増する。一方、第１流量調節弁８Ｕは、操作部材が所定の中間位置に達するまで開弁されず、中間位置を超えたところで所定開度まで急に開き、その後の強火位置への操作で開度が次第に増加する。そして、操作部材を弱火位置から強火位置まで操作したとき、図４にｂ線で示す如く、上段炎口４Ｕには中間位置に達するまでガスが供給されず、中間位置を超えたところで上段炎口４Ｕへの供給ガス量が所定の最小量ＱＵｍｉｎに急増し、その後最大量ＱＵｍａｘまで漸増する。
【００１８】
上段炎口４Ｕでも燃焼させる場合、操作部材を中間位置を超えて強火位置側に操作し、上段炎口４Ｕへのガス供給を開始して、下段炎口４Ｌから上段炎口４Ｕに火移りさせる。ここで、本実施形態では、上段炎口４Ｕの下炎口部分４Ｕｂとなる溝の最も幅広になる部分である上端部と、上段炎口４Ｕの上炎口部分４Ｕａとなる溝の最も幅広になる部分である下端部の幅を上記の如く消炎距離以下にすることができる。また、本実施形態では、バーナ１の大型化を招かないよう、上段炎口４Ｕの下炎口部分４Ｕｂと下段炎口４Ｌとの間の上下方向距離を短くしている。そのため、下段炎口４Ｌから上段炎口４Ｕへの火移り要する時間が短縮されて、上段炎口４Ｕの下炎口部分４Ｕｂや上炎口部分４Ｕａからのガス噴出速度が燃焼速度以上になる前に火移りしてしまうことがある。然し、本実施形態では、上記の如く下炎口部分４Ｕｂとなる溝の最も幅広になる部分である上端部と、上炎口部分４Ｕａとなる溝の最も幅広になる部分である下端部の幅を消炎距離以下にすることができるため、下炎口部分４Ｕｂや上炎口部分４Ｕａからのガス噴出速度が燃焼速度以上になる前に火移りしても、下炎口部分４Ｕｂ及び上炎口部分４Ｕａでの火移り時の逆火を生じない。
【００１９】
また、上炎口部分４Ｕａと下炎口部分４Ｕｂとが千鳥状に配置されるため、上炎口部分４Ｕａと下炎口部分４Ｕｂから個別に噴出するガスに対しその周囲から十分に二次空気が供給される。その結果、上段炎口４Ｕに形成される炎が強火状態でも短炎化され、鍋底の外方に炎が溢れ出す炎溢れを抑制することができる。
【００２０】
以上、本発明の実施形態について図面を参照して説明したが、本発明はこれに限定されるものではなく、本発明の趣旨を逸脱しない範囲で種々変更して実施することができる。
【符号の説明】
【００２１】
１…コンロ用バーナ、２…バーナボディ、２１…外側筒体、２２…中間筒体、２３…内側筒体、３…バーナヘッド、３１…下ヘッド部材、３１ａ…下ヘッド部材の筒部、３２…上ヘッド部材、３２ａ…上ヘッド部材の筒部、３３…第１の環状壁、３４…第２の環状壁、４Ｕ…上段炎口、４Ｕａ…上炎口部分、４Ｕｂ…下炎口部分、４Ｌ…下段炎口。
【図１】
2019143959.tif 000003
【図２】
2019143959.tif 000004
【図３】
2019143959.tif 000005
【図４】
2019143959.tif 000006